(57)【要約】【課題】無線接続を容易に設定可能とする画像形成システムを提供する。【解決手段】  画像形成装置１のアクセスポイント検索部１００は、無線のアクセスポイント３を検索する。リスト送信部１１０は、検索されたアクセスポイント３のリスト３００を端末２へ送信する。端末２のリスト取得部２００は、画像形成装置１からリスト３００を取得する。無線設定部２１０は、リスト３００に含まれるアクセスポイント３を示してユーザーに選択させ、設定情報３１０を設定する。設定送信部２２０は、設定情報３１０を画像形成装置１へ送信する。設定取得部１２０は、設定情報３１０を端末から取得する。無線接続部１３０は、設定取得部１２０で取得された無線のアクセスポイント３の設定情報３１０により、アクセスポイントに無線接続する。【選択図】図４
2018174367.tif 000002
【特許請求の範囲】
【請求項１】
無線接続が可能な画像形成装置と、該画像形成装置と接続される端末とを含む画像形成システムであって、
前記画像形成装置は、
無線のアクセスポイントを検索するアクセスポイント検索部と、
前記アクセスポイント検索部で検索された前記アクセスポイントのリストを端末へ送信するリスト送信部と、
前記リスト送信部で送信された前記リストから、前記端末にて選択された前記アクセスポイントの設定情報を前記端末から取得する設定取得部と、
前記設定取得部で取得された無線の前記アクセスポイントの前記設定情報により、前記アクセスポイントに無線接続する無線接続部とを備え、
前記端末は、
前記画像形成装置から前記アクセスポイントの前記リストを取得するリスト取得部と、
前記リスト取得部により取得された前記リストに含まれる前記アクセスポイントを示して選択させ、前記設定情報を設定する無線設定部と、
前記無線設定部により設定された前記アクセスポイントの前記設定情報を前記画像形成装置へ送信する設定送信部とを備える
ことを特徴とする画像形成システム。
【請求項２】
前記端末の前記無線設定部は、
前記端末から前記アクセスポイントへ接続するための既存設定情報と同一の前記アクセスポイントが前記リストに含まれる場合、及び／又は、前記端末と前記画像形成装置との間でダイレクト接続が可能である場合には、前記端末と前記画像形成装置とが同一のネットワーク内にあると判断し、前記既存設定情報も取得し、
前記端末の前記設定送信部は、前記既存設定情報も前記画像形成装置へ送信し、
前記画像形成装置の前記設定取得部は、前記既存設定情報も取得し、
前記画像形成装置の前記無線接続部は、前記既存設定情報によっても前記アクセスポイントに無線接続する
ことを特徴とする請求項１に記載の画像形成システム。
【請求項３】
前記画像形成装置の前記アクセスポイント検索部は、前記アクセスポイントの電波強度も取得し、
前記端末の前記無線設定部は、
前記端末と前記画像形成装置とが同一のネットワーク内にあり、同一の前記アクセスポイントに接続可能であった場合、前記アクセスポイント検索部で取得された前記電波強度が高い前記アクセスポイントの方を優先して設定する
ことを特徴とする請求項２に記載の画像形成システム。
【請求項４】
無線のアクセスポイントを検索するアクセスポイント検索部と、
前記アクセスポイント検索部で検索された前記アクセスポイントのリストを端末へ送信するリスト送信部と、
前記リスト送信部で送信された前記リストから前記端末にて選択された前記アクセスポイントの設定情報を前記端末から取得する設定取得部と、
前記設定取得部で取得された無線の前記アクセスポイントの前記設定情報により、前記アクセスポイントに無線接続する無線接続部とを備える
ことを特徴とする画像形成装置。
【請求項５】
画像形成装置からアクセスポイントのリストを取得するリスト取得部と、
前記リスト取得部により取得された前記リストに含まれる前記アクセスポイントを示して選択させ、設定情報を設定する無線設定部と、
前記無線設定部により設定された前記アクセスポイントの前記設定情報を前記画像形成装置へ送信する設定送信部とを備える
ことを特徴とする端末。
【請求項６】
無線接続が可能な画像形成装置と、該画像形成装置と接続される端末とを含む画像形成システムにより実行される画像形成方法であって、
前記画像形成装置は、無線のアクセスポイントを検索し、
前記画像形成装置は、検索された前記アクセスポイントのリストを前記端末へ送信し、
前記端末は、前記画像形成装置から前記アクセスポイントの前記リストを取得し、
前記端末は、取得された前記リストに含まれる前記アクセスポイントを示して選択させ、前記設定情報を設定し、
前記端末は、設定された前記アクセスポイントの前記設定情報を前記画像形成装置へ送信し、
前記画像形成装置は、前記リストから前記端末にて選択された前記アクセスポイントの設定情報を前記端末から取得し、
前記画像形成装置は、取得された無線の前記アクセスポイントの前記設定情報により、前記アクセスポイントに無線接続する
ことを特徴とする画像形成方法。
【発明の詳細な説明】
【技術分野】
【０００１】
本発明は、画像形成システム、画像形成装置、端末、及び画像形成方法に係り、特に、無線接続の設定が可能な画像形成システム、画像形成装置、端末、及び画像形成方法に関する。
【背景技術】
【０００２】
従来から、文書や画像を印刷可能な複合機（Multifunctional Peripheral, MFP）やプリンター等の画像形成装置が存在する。
【０００３】
また、一般的なオフィス向けの画像形成装置でも、ＩＥＥＥ  ８０２．１１規格の無線ＬＡＮである「Ｗｉ−Ｆｉ（登録商標）」等の無線接続の機能を備えるものが増えている。
【０００４】
ここで、特許文献１を参照すると、従来の無線ネットワークを備える画像形成装置を含む画像処理システムが記載されている。この画像処理システムにおいて、画像処理装置では、装置側接続点情報保持部は、装置側無線ネットワークインタフェイスを介してアクセスポイントから取得したアクセスポイントの接続点情報を保持する。通信端末では、端末側接続点情報保持部は、端末側無線ネットワークインタフェイスを介してアクセスポイントから取得したアクセスポイントの接続点情報を保持する。また、検索部は、端末側接続点情報保持部に保持された接続点情報に基づいて当該接続点情報と同一の接続点情報を有する画像処理装置を検索する。指示部は、検索部が検出した画像処理装置に対し処理指示を送信する。
このように構成することで、複数の画像処理装置が存在する状況下において、低コストで最寄りの画像処理装置において画像処理を実行させることができる画像処理システムを提供することができる。
【先行技術文献】
【特許文献】
【０００５】
【特許文献１】特開２０１４−６７２３３号公報
【発明の概要】
【発明が解決しようとする課題】
【０００６】
しかしながら、特許文献１の技術は、画像形成装置において、予め無線接続の設定を行っておく必要があった。
この際、画像形成装置によっては操作パネル部の表示パネルが小さかったりするため、無線接続の設定をするのに手間がかかっていた。
【０００７】
本発明は、このような状況に鑑みてなされたものであって、上述の問題点を解消する画像形成システムを提供することを課題とする。
【課題を解決するための手段】
【０００８】
本発明の画像形成システムは、無線接続が可能な画像形成装置と、該画像形成装置と接続される端末とを含む画像形成システムであって、前記画像形成装置は、無線のアクセスポイントを検索するアクセスポイント検索部と、前記アクセスポイント検索部で検索された前記アクセスポイントのリストを端末へ送信するリスト送信部と、前記リスト送信部で送信された前記リストから、前記端末にて選択された前記アクセスポイントの設定情報を前記端末から取得する設定取得部と、前記設定取得部で取得された無線の前記アクセスポイントの前記設定情報により、前記アクセスポイントに無線接続する無線接続部とを備え、前記端末は、前記画像形成装置から前記アクセスポイントの前記リストを取得するリスト取得部と、前記リスト取得部により取得された前記リストに含まれる前記アクセスポイントを示して選択させ、前記設定情報を設定する無線設定部と、前記無線設定部により設定された前記アクセスポイントの前記設定情報を前記画像形成装置へ送信する設定送信部とを備えることを特徴とする。
本発明の画像形成システムは、前記端末の前記無線設定部は、前記端末から前記アクセスポイントへ接続するための既存設定情報と同一の前記アクセスポイントが前記リストに含まれる場合、及び／又は、前記端末と前記画像形成装置との間でダイレクト接続が可能である場合には、前記端末と前記画像形成装置とが同一のネットワーク内にあると判断し、前記既存設定情報も取得し、前記端末の前記設定送信部は、前記既存設定情報も前記画像形成装置へ送信し、前記画像形成装置の前記設定取得部は、前記既存設定情報も取得し、前記画像形成装置の前記無線接続部は、前記既存設定情報によっても前記アクセスポイントに無線接続することを特徴とする。
本発明の画像形成システムは、前記画像形成装置の前記アクセスポイント検索部は、前記アクセスポイントの電波強度も取得し、前記端末の前記無線設定部は、前記端末と前記画像形成装置とが同一のネットワーク内にあり、同一の前記アクセスポイントに接続可能であった場合、前記アクセスポイント検索部で取得された前記電波強度が高い前記アクセスポイントの方を優先して設定することを特徴とする。
本発明の画像形成装置は、無線のアクセスポイントを検索するアクセスポイント検索部と、前記アクセスポイント検索部で検索された前記アクセスポイントのリストを端末へ送信するリスト送信部と、前記リスト送信部で送信された前記リストから前記端末にて選択された前記アクセスポイントの設定情報を前記端末から取得する設定取得部と、前記設定取得部で取得された無線の前記アクセスポイントの前記設定情報により、前記アクセスポイントに無線接続する無線接続部とを備えることを特徴とする。
本発明の端末は、画像形成装置からアクセスポイントのリストを取得するリスト取得部と、前記リスト取得部により取得された前記リストに含まれる前記アクセスポイントを示して選択させ、設定情報を設定する無線設定部と、前記無線設定部により設定された前記アクセスポイントの前記設定情報を前記画像形成装置へ送信する設定送信部とを備えることを特徴とする。
本発明の画像形成方法は、無線接続が可能な画像形成装置と、該画像形成装置と接続される端末とを含む画像形成システムにより実行される画像形成方法であって、前記画像形成装置は、無線のアクセスポイントを検索し、前記画像形成装置は、検索された前記アクセスポイントのリストを前記端末へ送信し、前記端末は、前記画像形成装置から前記アクセスポイントの前記リストを取得し、前記端末は、取得された前記リストに含まれる前記アクセスポイントを示して選択させ、前記設定情報を設定し、前記端末は、設定された前記アクセスポイントの前記設定情報を前記画像形成装置へ送信し、前記画像形成装置は、前記リストから前記端末にて選択された前記アクセスポイントの設定情報を前記端末から取得し、前記画像形成装置は、取得された無線の前記アクセスポイントの前記設定情報により、前記アクセスポイントに無線接続することを特徴とする。
【発明の効果】
【０００９】
本発明によれば、画像形成装置において検索されたアクセスポイントのリストを端末へ送信し、端末にてアクセスポイントを示して選択させ、設定情報を設定し、この設定情報を画像形成装置へ送信して、アクセスポイントに無線接続することで、端末側で容易に無線接続の設定を行うことが可能な画像形成システムを提供することができる。
【図面の簡単な説明】
【００１０】
【図１】本発明の実施の形態に係る画像形成システムのシステム構成図である。
【図２】図１に示す画像形成装置の構成を示すブロック図である。
【図３】図１に示す端末の構成を示すブロック図である。
【図４】本発明の実施の形態に係る画像形成システムの機能構成を示すブロック図である。
【図５】本発明の実施の形態に係る無線機能設定接続処理のフローチャートである。
【図６】図５に示す設定開始処理及び自動接続設定処理の概念図である。
【図７】図５に示すアドホック接続処理の概念図である。
【図８】図５に示す無線設定処理のフローチャートである。
【図９】図８に示す既存設定優先設定処理の概念図である。
【図１０】図８に示すリスト設定処理の概念図である。
【発明を実施するための形態】
【００１１】
＜実施の形態＞
〔画像形成システムＸのシステム構成〕
まず、図１〜図３を参照して、画像形成システムＸのシステム構成について説明する。  図１によると、本発明の実施の形態に係る画像形成システムＸは、無線接続が可能な画像形成装置１と、画像形成装置１と接続される端末２と、無線接続用のアクセスポイント３とを含む。また、本実施形態において、各装置は、無線接続でデータを送受信可能であってもよい。また、各装置は、ネットワーク５で接続されていてもよい。
【００１２】
画像形成装置１は、ＭＦＰ、ネットワークスキャナー、ドキュメントスキャナー、ネットワークＦＡＸ、プリンター等の画像形成装置である。
画像形成装置１は、端末２により無線接続の設定を行うことが可能である。
また、画像形成装置１は、無線で端末２とアドホック接続（Ad hoc、Peer to Peer）等で直接接続（以下、「ダイレクト接続」という。）することが可能である。
【００１３】
端末２は、ＰＣ、携帯電話、スマートフォン、ＰＤＡ（Personal Data Assistant）、業務用端末、画像形成装置１用の専用端末等の端末である。
端末２は、各種汎用のＯＳ（Operating System）等が動作している。また、端末２は、画像形成装置１用のデバイスドライバー等の制御プログラムをインストール（install）することが可能である。これにより、ＯＳ及び各種アプリケーションソフトウェア（Application Software、アプリケーション、以下、単に「アプリ」という。）から、画像形成装置１の印刷、スキャン、ＦＡＸ送受信、ネットワークＦＡＸ等の機能を使用することが可能となる。
また、端末２は、画像形成装置１の設定用のデバイスドライバーや、アプリであるユーティリティーソフトウェア等を実行することで、画像形成装置１の無線接続の設定を行うことが可能である。
【００１４】
アクセスポイント３は、ＩＥＥＥ  ８０２．１１規格（Ｗｉ−Ｆｉ）等の無線ＬＡＮ（Local Area Network）のアクセスポイント、無線ＬＡＮルーター、無線ＬＡＮ−有線ＬＡＮのネットワークコンバーター、無線ＬＡＮインターフェイスを内蔵したサーバー等である。アクセスポイント３は、各装置から取得したパケットをネットワーク５に送信し、ネットワーク５のパケットを各装置へ送信させる。これにより、アクセスポイント３は、各装置間を無線ＬＡＮでパケット通信させ、接続させることが可能である。
また、アクセスポイント３は、無線ＬＡＮ（Ｗｉ−Ｆｉ）におけるアクセスポイントの識別名（ネットワーク名）であるＳＳＩＤ（Service Set Identifier）等を各装置へ送信可能であってもよい。
【００１５】
ネットワーク５は、本実施形態においては、イントラネット（Intranet）等の有線ＬＡＮ、インターネット（登録商標）や携帯電話網等のＷＡＮ（Wide Area Network）等である。ネットワーク５がＷＡＮの場合、ルーター（Router）やゲートウェイ（Gateway）等を介して、他のサーバーに接続可能であってもよい。また、ネットワーク５は、ＶＰＮ（Virtual Private Network）を構成していてもよい。
【００１６】
なお、画像形成システムＸにおいて、画像形成装置１、端末２、及びアクセスポイント３は、それぞれ複数備えられていてもよい。
また、画像形成装置１及び／又は端末２は、ネットワーク５に接続されていなくてもよい。また、端末２は、無線接続ができなくてもよい。
また、後述するように、画像形成装置１及び端末２は、同一のアクセスポイント３に無線接続しなくても、できなくてもよい。
【００１７】
（画像形成装置１の構成）
次に、図２により、画像形成装置１の詳細な構成について説明する。
画像形成装置１は、画像処理部１１、原稿読取部１２、原稿給送部１３、給紙部１４、有線ネットワーク接続部１５、操作パネル部１６、画像形成部１７（画像形成手段）、無線ネットワーク接続部１８、及び記憶部１９等を含む。各部は、制御部１０に接続され、制御部１０によって動作制御される。
【００１８】
制御部１０は、ＧＰＰ（General Purpose Processor）、ＣＰＵ（Central Processing Unit、中央処理装置）、ＭＰＵ（Micro Processing Unit）、ＤＳＰ（Digital Signal Processor）、ＧＰＵ（Graphics Processing Unit）、ＡＳＩＣ（Application Specific Processor、特定用途向けプロセッサー）等の情報処理手段である。
制御部１０は、記憶部１９のＲＯＭやＨＤＤに記憶されている制御プログラムを読み出して、この制御プログラムをＲＡＭに展開させて実行することで、後述する機能ブロックの各手段として動作させられる。また、制御部１０は、端末２や操作パネル部１６から入力された指示情報（コマンド）等に応じて、自装置の制御を行う。
【００１９】
画像処理部１１は、ＤＳＰ（Digital Signal Processor）やＧＰＵ（Graphics Processing Unit）等の制御演算手段である。画像処理部１１は、画像データに対して所定の画像処理を行う手段であり、例えば、拡大縮小、濃度調整、階調調整、画像改善等の各種画像処理を行う。
画像処理部１１は、原稿読取部１２で読み取られた画像を、記憶部１９に印刷データとして記憶する。この際、画像処理部１１は、印刷データをＰＤＦやＴＩＦＦ等のフォーマットのファイル単位に変換することも可能である。
【００２０】
原稿読取部１２は、セットされた原稿を読み取る（スキャン）手段である。また、原稿読取部１２は、画像形成装置１の本体部の上部に配設される。
原稿読取部１２は、スキャナーと、プラテンガラスと、原稿読取スリットとを備えている。原稿読取部１２は、プラテンガラスに載置された原稿を読み取る場合には、スキャナーをプラテンガラスに対向する位置に移動させ、プラテンガラスに載置された原稿を走査しながら読み取って画像データを取得し、取得した画像データを記憶部１９に格納する。
【００２１】
また、原稿読取部１２は、原稿給送部１３から給送された原稿を読み取る場合には、スキャナーを、原稿読取スリットと対向する位置に移動させる。そして、原稿読取部１２は、原稿読取スリットを介し、原稿給送部１３による原稿の搬送動作と同期して原稿を読み取って、画像データを取得する。原稿読取部１２は、取得した画像データを記憶部１９に格納する。
【００２２】
原稿給送部１３は、原稿読取部１２で読み取られる原稿を搬送する手段である。原稿給送部１３は、原稿読取部１２の上部に配設されている。
原稿給送部１３は、原稿載置部と、原稿搬送機構とを備えている。原稿給送部１３は、原稿載置部に載置された原稿を、原稿搬送機構によって１枚ずつ順に繰り出して、原稿読取部１２に給送する。
【００２３】
給紙部１４は、記録紙を１枚ずつ画像形成部１７に向けて繰り出す機構である。給紙部１４は、本体部に備えられている。
【００２４】
有線ネットワーク接続部１５は、ネットワーク５に接続するための有線ＬＡＮボード等を含むネットワーク接続部である。
有線ネットワーク接続部１５は、データ通信用の回線ではデータを送受信し、音声電話回線では音声信号を送受信する。
なお、有線ネットワーク接続部１５は、脱着可能であってもよい。
【００２５】
操作パネル部１６は、ボタンやタッチパネル等の入力部と、ＬＣＤ(Liquid Crystal Display)や有機ＥＬディスプレイ等の表示部とを備えている。また、操作パネル部１６は、画像形成装置１のフロント側に配設される。
操作パネル部１６の入力部のボタンは、テンキー、スタート、キャンセル、動作モードの切り換え、ジョブの実行に係る指示を行うボタン等である。この動作モードは、複写、ＦＡＸ送信、スキャナー、ネットワークスキャナー等の種類のモードを備えていてもよい。また、ジョブは、選択された文書の印刷、送信、保存、及び記録等の種類のものを含んでいる。操作パネル部１６の入力部は、ユーザーによる画像形成装置１の各種ジョブの指示を取得する。また、操作パネル部１６から取得したユーザーの指示により、各ユーザーの情報を入力、変更することも可能である。
【００２６】
画像形成部１７は、ユーザーの出力指示により、記憶部１９に記憶され、原稿読取部１２で読み取られ、又は端末２から取得されたデータから記録紙への画像形成を行わせる手段である。
画像形成部１７は、感光体ドラム、露光部、現像部、転写部、及び定着部等を備えている。画像形成部１７は、帯電、露光、現像、転写、定着からなる画像形成プロセスを実行することで記録紙にトナー像を記録する。
【００２７】
無線ネットワーク接続部１８は、無線接続するための無線ＬＡＮボード、携帯電話接続用ボード等である。
無線ネットワーク接続部１８は、端末２とアクセスポイント３との間で、無線ＬＡＮでパケット通信することが可能である。
また、無線ネットワーク接続部１８は、ダイレクト接続のためのＳＳＩＤを送信可能であってもよい。また、無線ネットワーク接続部１８は、付近のアクセスポイント３を探索し、電波強度（信号強度、信号のＳ／Ｎ比等）を求めることも可能である。
また、無線ネットワーク接続部１８は、携帯電話網等のＷＡＮへ接続することが可能であってもよい。
また、無線ネットワーク接続部１８も、脱着可能であってもよい。
【００２８】
記憶部１９は、ＲＯＭ（Read Only Memory）、ＲＡＭ（Random Access Memory）等の半導体メモリーやＨＤＤ（Hard Disk Drive）等の一時的でない記録媒体を用いた記憶手段である。
記憶部１９のＲＯＭやＨＤＤには画像形成装置１の動作制御を行うための制御プログラムが記憶されている。これに加えて、記憶部１９は、画像形成装置１の各種設定、ユーザーのアカウント設定も記憶している。また、記憶部１９には、ユーザー毎の保存フォルダーの領域が含まれていてもよい。
【００２９】
なお、画像形成装置１において、制御部１０及び画像処理部１１は、ＧＰＵ内蔵ＣＰＵ等やチップ・オン・モジュールパッケージのように、一体的に形成されていてもよい。
また、制御部１０及び画像処理部１１は、ＲＡＭやＲＯＭやフラッシュメモリー等を内蔵していてもよい。
また、有線ネットワーク接続部１５と無線ネットワーク接続部１８とについても、一体的なネットワーク接続ボードとして提供されていてもよい。
また、画像形成装置１は、ファクシミリの送受信を行うＦＡＸ送受信部を備えていてもよい。
【００３０】
（端末２の構成）
また、図３によると、端末２は、制御部２０、有線ネットワーク接続部２５、入力部２６、表示部２７、無線ネットワーク接続部２８、記憶部２９等を含んでいる。
【００３１】
制御部２０は、ＣＰＵ、ＭＰＵ、ＤＳＰ、ＧＰＵ、ＡＳＩＣ等を含む情報処理部である。
制御部２０は、記憶部２９に記憶されている制御プログラムを読み出して、この制御プログラムを展開させて実行することで、後述する各機能部として動作させられる。
【００３２】
有線ネットワーク接続部２５は、ネットワーク５に接続するための有線ＬＡＮボード等を含むネットワーク接続部である。
【００３３】
入力部２６は、ユーザーによる各種指示を取得するためのキーボード、各種センサー、ポインティングデバイス等である。ポインティングデバイスは、タッチパネル、デジタイザー、タッチパッド等を含む。
入力部２６は、ＯＳ上のＧＵＩ（Graphical User Interface）により、ユーザーにより各種指示を入力させ、これを取得することが可能である。また、入力部２６でユーザーが入力した指示により、文書データの作成、送信、各ユーザーの情報の入力、変更等の処理を行うことも可能である。
【００３４】
表示部２７は、ＬＣＤ(Liquid Crystal Display)、有機ＥＬディスプレイ、ＦＥＤ（Field Emission Display）、蛍光表示管等の平面ディスプレイパネル、プロジェクター、ステータス表示用ＬＥＤ等である。表示部２７は、ＧＵＩの各種操作画面を表示することが可能である。
なお、入力部２６と表示部２７とは、タッチパネル付きのディスプレイやデジタイザー等のように一体的に形成されていてもよい。
【００３５】
無線ネットワーク接続部２８は、無線ＬＡＮのパケット通信を行うための無線送受信機等である。
また、無線ネットワーク接続部２８は、携帯電話網等のＷＡＮへ接続することが可能であってもよい。
【００３６】
記憶部２９は、一時的でない記録媒体を用いた記憶部である。記憶部２９は、ＲＡＭ、ＲＯＭ、ｅＭＭＣ、ＳＳＤ、及びＨＤＤ等を含んでいてもよい。
【００３７】
なお、制御部２０も、ＲＡＭやＲＯＭやフラッシュメモリー等を内蔵していてもよい。  また、制御部２０は、記憶部２９に記憶されている制御プログラムを読み出して、この制御プログラムを展開させて実行することで、後述する機能ブロックの各機能部として動作させられる。
【００３８】
〔画像形成システムＸの機能構成〕
ここで、図４を参照し、画像形成システムＸの機能構成について説明する。
画像形成装置１の制御部１０は、アクセスポイント検索部１００、リスト送信部１１０、設定取得部１２０、及び無線接続部１３０を備えている。
画像形成装置１の記憶部１９は、リスト３００、設定情報３１０、及び既存設定情報３２０を記憶する。
端末２の制御部２０は、リスト取得部２００、無線設定部２１０、及び設定送信部２２０を備えている。
端末２の記憶部２９は、リスト３００、設定情報３１０、及び既存設定情報３２０を記憶する。
【００３９】
アクセスポイント検索部１００は、無線のアクセスポイント３を検索する。
この際、アクセスポイント検索部１００は、複数のアクセスポイント３を検索し、それぞれの電波強度も取得してもよい。
【００４０】
リスト送信部１１０は、アクセスポイント検索部１００で検索されたアクセスポイント３のリスト３００を端末２へ送信する。
【００４１】
設定取得部１２０は、リスト送信部１１０で送信されたリスト３００から端末２にて選択されたアクセスポイント３の設定情報３１０を端末から取得する。
また、設定取得部１２０は、既存設定情報３２０も取得する。
【００４２】
無線接続部１３０は、設定取得部１２０で取得された無線のアクセスポイント３の設定情報３１０により、アクセスポイント３に無線接続する。
また、無線接続部１３０は、既存設定情報３２０によってもアクセスポイント３に無線接続することが可能であってもよい。
【００４３】
リスト取得部２００は、画像形成装置１から、アクセスポイント３のリスト３００を取得する。
【００４４】
無線設定部２１０は、リスト取得部２００により取得されたリスト３００に含まれるアクセスポイント３を示してユーザーに選択させ、設定情報３１０を設定する。この際に、無線設定部２１０は、ＧＵＩを用いて、入力部２６及び表示部２７を用いて設定情報３１０をユーザーに入力させてもよい。
また、無線設定部２１０は、端末２と画像形成装置１とが同一のネットワーク内にあると判断し、端末２からアクセスポイント３へ接続するための既存設定情報３２０も取得する。この場合、無線設定部２１０は、既存設定情報３２０と同一のアクセスポイント３がリスト３００に含まれる場合、及び／又は、端末２と画像形成装置１との間でダイレクト接続が可能である場合には、同一のネットワーク内にあると判断してもよい。
また、無線設定部２１０は、端末２と画像形成装置１とが同一のネットワーク内にあり、同一のアクセスポイント３に接続可能であった場合、アクセスポイント検索部１００で取得された電波強度が高いアクセスポイント３の方を優先して設定してもよい。
【００４５】
設定送信部２２０は、無線設定部２１０により設定されたアクセスポイント３の設定情報３１０を画像形成装置１へ送信する。
また、設定送信部２２０は、既存設定情報３２０も画像形成装置１へ送信することも可能であってもよい。
【００４６】
リスト３００は、画像形成装置１にてＳＳＩＤ等が検索されたアクセスポイント３の一覧の表のデータ等である。このリスト３００には、各アクセスポイント３の電波強度の情報が含まれていてもよい。
【００４７】
設定情報３１０は、アクセスポイント３へ接続するためのアクセスポイント３の設定情報である。設定情報３１０は、例えば、接続するアクセスポイント３のＳＳＩＤ、認証の方式、暗号化の方式、暗号キー、事前共有キー等の無線ＬＡＮの接続情報が含まれていてもよい。また、設定情報３１０は、ＧＵＩにて、ユーザーにより設定されてもよい。
【００４８】
既存設定情報３２０は、端末２からアクセスポイント３へ接続するための無線ＬＡＮの設定情報３１０である。既存設定情報３２０は、既に設定されて、記憶部２９に格納されていたものであってもよい。
【００４９】
ここで、画像形成装置１の制御部１０は、記憶部１９に記憶された制御プログラムを実行することで、アクセスポイント検索部１００、リスト送信部１１０、設定取得部１２０、及び無線接続部１３０として機能させられる。
また、端末２の制御部２０は、記憶部２９に記憶された制御プログラムを実行することで、リスト取得部２００、無線設定部２１０、及び設定送信部２２０として機能させられる。
また、上述の画像形成装置１及び端末２の各部は、本発明の画像形成方法を実行するハードウェア資源となる。
【００５０】
〔画像形成システムＸによる無線機能設定接続処理〕
次に、図５〜図７を参照して、本発明の実施の形態に係る画像形成システムＸによる無線機能設定接続処理の説明を行う。
この処理においては、まず、画像形成装置１にて、無線のアクセスポイント３を検索する。この際に、アクセスポイント３の電波強度も取得する。そして、リスト３００を端末へ送信する。次に、端末２にて、画像形成装置からリスト３００を取得する。そして、リスト取得部２００により取得されたリスト３００に含まれるアクセスポイント３をユーザーに示す。この際に、同一のネットワーク内で同一のアクセスポイント３があれば、画像形成装置１で電波強度が高いものを優先させる。そして、ユーザーに設定情報３１０を設定させる。この際に、既存設定情報３２０を取得して設定してもよい。そして、設定情報３１０及び／又は既存設定情報３２０を画像形成装置１へ送信する。ここで、画像形成装置１にて、設定情報３１０及び／又は既存設定情報３２０を端末２から取得する。そして、取得された設定情報３１０及び／又は既存設定情報３２０を用いて、アクセスポイント３に無線接続する。
本実施形態の無線機能設定接続処理は、主に、画像形成装置１の制御部１０が記憶部１９に記憶されたプログラムを、端末２の制御部２０が記憶部２９に記憶されたプログラムを、各部と協働し、ハードウェア資源を用いて実行する。
以下で、図５のフローチャートを参照して、無線機能設定接続処理の詳細をステップ毎に説明する。
【００５１】
（ステップＳ２０１）
まず、端末２の無線設定部２１０が、設定開始処理を行う。
無線設定部２１０は、ユーザーが画像形成装置１のデバイスドライバーやユーティリティーソフトウェア等である、例えば、「Ｗｉ−Ｆｉセットアップツール」を実行すると、画像形成装置１の無線接続の設定を開始する。
無線設定部２１０は、まず、ＷＰＳ（Wi-Fi Protected Setup）やＡＯＳＳ（登録商標）等の他方式等の自動接続（automatic configuration）を行うか否かについてユーザーに指定させる。
また、無線設定部２１０は、ダイレクト接続をするか否かについてもユーザーに指定させる。
【００５２】
（ステップＳ２０２）
次に、端末２の無線設定部２１０が、自動接続設定するか否かを判断する。図６（ａ）の画面例５００によれば、無線設定部２１０は、自動接続を行うとユーザーが指定した場合に、Ｙｅｓと判断する。また、無線設定部２１０は、自動接続を行わない場合には、Ｎｏと判断する。図６（ａ）の例では、ＷＰＳで設定を行うか否かをユーザーに指示させている例を示している。
Ｙｅｓの場合、無線設定部２１０は、処理をステップＳ２０３に進める。
Ｎｏの場合、無線設定部２１０は、処理をステップＳ２０４に進める。
【００５３】
（ステップＳ２０３）
自動接続を行う場合、無線設定部２１０が、自動接続設定処理を行う。
図６（ｂ）の画面例５０１によると、無線設定部２１０は、画像形成装置１を下記で説明する独自プロトコル等を用いて自動接続モードに設定するよう指示し、ユーザーにアクセスポイント３の「ＷＰＳボタン」等を押下させるメッセージを表示して、設定させる。
その後、無線設定部２１０は、本実施形態の無線機能設定接続処理を終了する。
【００５４】
（ステップＳ１０１）
自動接続を行わない場合、端末２の指示により、画像形成装置１のアクセスポイント検索部１００が、アクセスポイント検索処理を行う。
端末２の無線設定部２１０は、独自プロトコルのコマンド等の指示により、画像形成装置１にアクセスポイント３を検索させる。このコマンドは、例えば、画像形成装置１の操作パネル部１６でアクセスポイント３を設定するのと同様の処理を行わせるものあってもよい。また、本実施形態で用いる画像形成装置１と端末２との間で無線接続の設定を行うための独自プロトコルとしては、ＸＭＬベースのＲＰＣプロトコルであるＳＯＡＰ等により、画像形成装置１に対応した仕様のＷＳＤＬ文書を送受信することで、各種設定を送受信することが可能である。
【００５５】
アクセスポイント検索部１００は、無線ネットワーク接続部１８により、接続可能なアクセスポイント３を検索する。この際に、アクセスポイント検索部１００は、検索されたアクセスポイント３のＳＳＩＤと電波強度とを取得し、リスト３００にまとめて記憶部１９に格納する。
【００５６】
（ステップＳ２０４）
自動接続をしない場合、端末２の無線設定部２１０が、ダイレクト接続をするか否かを判断する。図７（ａ）の画面例５０２によれば、無線設定部２１０は、ダイレクト接続を行うとユーザーが指定した場合に、Ｙｅｓと判断する。無線設定部２１０は、それ以外、ダイレクト接続をしない場合には、Ｎｏと判断する。図７（ａ）の例では、ダイレクト接続を用いる（Use Wi-Fi Direct）か、ＬＡＮケーブルを用いて有線接続する（Use LAN cable）かをユーザーに指示させる例を示している。
Ｙｅｓの場合、無線設定部２１０は、処理をステップＳ２０５に進める。
Ｎｏの場合、無線設定部２１０は、処理をステップＳ２０６に進める。
【００５７】
（ステップＳ２０５）
ダイレクト接続をする場合、無線設定部２１０が、ダイレクト接続処理を行う。
図７（ｂ）の画面例５０３によると、無線設定部２１０は、画像形成装置１をダイレクト接続モードに設定する。この時点で、画像形成装置１の無線ネットワーク接続部１８は、ＳＳＩＤを端末２で検索可能なように送信してもよい。
また、無線設定部２１０は、一時的に、無線接続の設定を、画像形成装置１のＳＳＩＤへ変更する。この変更の際に、無線設定部２１０は、独自プロトコルで画像形成装置１のＳＳＩＤ及び接続設定を画像形成装置１から取得してもよい。
なお、ユーザーが指定していなくても、無線設定部２１０は、端末２と画像形成装置１との間でダイレクト接続できるかどうかを検索してもよい。
【００５８】
なお、ユーザーは、デバイスドライバーやユーティリティーソフトウェア等の他に、ＯＳ標準のユーティリティーソフトウェア等を用いて、画像形成装置１へダイレクト接続するよう設定してもよい。
また、この時点で、端末２が有線ＬＡＮのネットワーク５で接続されていなくても、以降の画像形成装置１用の無線接続の設定を行うことが可能となる。
また、無線設定部２１０は、画像形成装置１と端末２とが、有線ＬＡＮのネットワーク５で接続されていても、下記で説明するように無線接続の設定を行うことが可能である。
【００５９】
（ステップＳ１０２）
次に、リスト送信部１１０が、リスト送信処理を行う。
リスト送信部１１０は、独自プロトコル等を用いて、検索されたアクセスポイント３のリスト３００を端末２へ送信する。
【００６０】
（ステップＳ２０６）
ここで、端末２のリスト取得部２００が、リスト取得処理を行う。
リスト取得部２００は、画像形成装置１のリスト送信部１１０により送信されたアクセスポイント３のリスト３００を取得し、記憶部２９に格納する。
【００６１】
（ステップＳ２０７）
次に、無線設定部２１０が、無線設定処理を行う。
無線設定部２１０は、ユーザーの指示により、既存設定情報３２０を画像形成装置１に設定する既存設定優先を設定してもよい。
また、無線設定部２１０は、ユーザーにリスト３００からアクセスポイント３を選択させて、このアクセスポイント３の設定情報３１０を設定してもよい。
これらの無線設定処理の詳細は後述する。
【００６２】
（ステップＳ２０８）
次に、無線設定部２１０が、既存設定優先であるか否かを判断する。無線設定部２１０は、ユーザーが既存設定優先を設定した場合に、Ｙｅｓと判断する。無線設定部２１０は、それ以外の場合には、Ｎｏと判断する。
Ｙｅｓの場合、無線設定部２１０は、処理をステップＳ２０９に進める。
Ｎｏの場合、無線設定部２１０は、処理をステップＳ２１０に進める。
【００６３】
（ステップＳ２０９）
既存設定優先の場合、設定送信部２２０が、既存設定情報送信処理を行う。
設定送信部２２０は、端末２のアクセスポイント３への接続の設定である既存設定情報３２０を画像形成装置１へ送信する。
この際に、設定送信部２２０は、ＯＳの隠蔽領域等を管理者権限で参照して、無線ＬＡＮの暗号キーの設定等も含む既存設定情報３２０を取得して、画像形成装置１へ送信してもよい。
【００６４】
（ステップＳ１０３）
ここで、画像形成装置１の設定取得部１２０が、既存設定情報取得処理を行う。
設定取得部１２０は、端末２の設定送信部２２０で送信された既存設定情報３２０を受信して、記憶部１９に格納する。これにより、端末２の接続可能なアクセスポイント３の既存設定情報３２０を画像形成装置１に設定することが可能となる。
【００６５】
（ステップＳ２１０）
ここで、端末２の無線設定部２１０が、リスト３００により設定した否かを判断する。無線設定部２１０は、ユーザーがリスト３００にあるアクセスポイント３の設定情報３１０を設定した場合に、Ｙｅｓと判断する。ここでは、ユーザーが既存設定優先を設定していても、リスト３００のアクセスポイント３の設定も行っている場合には、Ｙｅｓと判断可能である。また、無線設定部２１０は、それ以外の場合には、Ｎｏと判断する。
Ｙｅｓの場合、無線設定部２１０は、処理をステップＳ２１１に進める。
Ｎｏの場合、無線設定部２１０は、本実施形態の無線機能設定接続処理を終了する。
【００６６】
（ステップＳ２１１）
リスト３００のアクセスポイント３を設定した場合、設定送信部２２０が、設定情報送信処理を行う。
設定送信部２２０は、無線設定部２１０により設定されたアクセスポイント３の設定情報３１０を画像形成装置１へ送信する。
【００６７】
（ステップＳ１０４）
ここで、画像形成装置１の設定取得部１２０が、設定情報取得処理を行う。
設定取得部１２０は、端末２の設定送信部２２０で送信された設定情報３１０を受信して、記憶部１９に格納する。これにより、端末２にて、画像形成装置１の無線接続の設定を行うことが可能となる。
【００６８】
（ステップＳ１０５）
次に、無線接続部１３０が、無線接続処理を行う。
無線接続部１３０は、記憶部１９に格納された設定情報３１０又は既存設定情報３２０を無線ネットワーク接続部１８に設定し、アクセスポイント３に接続させる。
この際に、無線接続部１３０は、設定情報３１０と既存設定情報３２０とを両方取得していた場合には、既存設定情報３２０のアクセスポイント３に優先的に接続してもよい。これにより、端末２と画像形成装置１とで同一のアクセスポイント３へ接続することができ、当該アクセスポイント３のポートや無線設定等による不具合が生じるのを防ぐことが可能となる。また、この際に、無線接続部１３０は、画像形成装置１にて電波強度の強いアクセスポイント３を優先して接続してもよい。また、無線接続部１３０は、同一のアクセスポイント３であっても、使用電波の帯域を別々に設定して、電波の干渉等を防いでもよい。
なお、無線接続部１３０は、端末２と画像形成装置１とで別々のアクセスポイント３へ優先して接続するようにして、電波の干渉等を防ぐことも可能である。
また、無線接続部１３０は、これらの設定後、画像形成装置１の再起動を自動で行って、設定を各部に反映させてもよい。
以上により、本発明の実施の形態に係る無線機能設定接続処理を終了する。
【００６９】
次に、図８〜１０を参照して、図５のステップＳ２０７の無線設定処理の詳細について説明する。
【００７０】
（ステップＳ３０１）
まず、無線設定部２１０が、端末２と画像形成装置１とが同一のネットワーク内にあるか否かを判断する。無線設定部２１０は、取得したリスト３００に既存設定情報３２０と同一のアクセスポイント３が含まれる場合に、Ｙｅｓと判断する。また、無線設定部２１０は、端末２と画像形成装置１との間でダイレクト接続が可能である場合には、ダイレクト接続をユーザーが指定していなくても、Ｙｅｓと判断する。無線設定部２１０は、それ以外の場合には、Ｎｏと判断する。無線設定部２１０は、例えば、有線ネットワーク接続部１５と有線ネットワーク接続部２５とに、同一のサブネットマスク（ゲートウェイ）のＩＰアドレスが設定されていたとしても、Ｎｏと判断してもよい。
Ｙｅｓの場合、無線設定部２１０は、処理をステップＳ３０２に進める。
Ｎｏの場合、無線設定部２１０は、処理をステップＳ３０７に進める。
【００７１】
（ステップＳ３０２）
端末２と画像形成装置１とが同一のネットワーク内の場合、無線設定部２１０が、既存設定情報参照処理を行う。
無線設定部２１０は、端末２がアクセスポイント３と接続する設定である既存設定情報３２０の主にＳＳＩＤを記憶部１９から読み出して参照する。
【００７２】
（ステップＳ３０３）
次に、無線設定部２１０が、同一のアクセスポイント３があるか否かを判断する。無線設定部２１０は、リスト３００に、既存設定情報３２０と同一のアクセスポイント３のＳＳＩＤ等が含まれる場合に、Ｙｅｓと判断する。無線設定部２１０は、それ以外の場合には、Ｎｏと判断する。
Ｙｅｓの場合、無線設定部２１０は、処理をステップＳ３０４に進める。
Ｎｏの場合、無線設定部２１０は、処理をステップＳ３０７に進める。
【００７３】
（ステップＳ３０４）
同一のアクセスポイント３がある場合、無線設定部２１０が、画像形成装置電波強度優先処理を行う。
無線設定部２１０は、同一のアクセスポイント３に接続可能であった場合、リスト３００中の電波強度が高いアクセスポイント３がＧＵＩにて上位で選択されるように、表示部２７に表示させる。
これにより、下記の設定の処理において、ユーザーに、画像形成装置１で電波強度が高いアクセスポイント３の方を優先して選択し、設定させることが可能となる。
【００７４】
（ステップＳ３０５）
次に、無線設定部２１０が、既存設定を使うか否かを判断する。
図９（ａ）の画面例５０４によれば、簡易設定（Easy setup）としてユーザーに端末２の既存設定情報３２０を使用させるか、手動設定（Advanced setup）としてユーザーにリスト３００から設定情報３１０を入力させるかを指示させる。無線設定部２１０は、この例では、簡易設定の既存設定情報３２０を使用するようユーザーが指定した場合に、Ｙｅｓと判断する。無線設定部２１０は、それ以外、手動設定をユーザーが指定した場合には、Ｎｏと判断する。
Ｙｅｓの場合、無線設定部２１０は、処理をステップＳ３０６に進める。
Ｎｏの場合、無線設定部２１０は、処理をステップＳ３０７に進める。
【００７５】
（ステップＳ３０６）
既存設定を使う場合、無線設定部２１０が、既存設定優先設定処理を行う。
無線設定部２１０は、既存設定情報３２０を画像形成装置１に設定する既存設定優先の設定を行う。
図９（ｂ）の画面例５０５によると、その後、無線設定部２１０は、無線接続の設定を完了してもよい。つまり、これらの無線接続の設定が完了した後、無線設定部２１０は、「セットアップ終了」等のダイアログボックスを表示してもよい。
なお、無線設定部２１０は、既存設定有線の設定をしても、ユーザーの指示により、下記のようにリスト３００のアクセスポイント３を設定することも可能である。
【００７６】
（ステップＳ３０７）
ここで、リスト３００からアクセスポイント３の設定を行う場合、無線設定部２１０が、リスト設定処理を行う。
図１０（ａ）の画面例５０６によれば、無線設定部２１０は、ユーザーにＧＵＩにて画像形成装置１で接続可能なアクセスポイント３をリスト３００から表示して、選択させる。この順番は、上述のように、画像形成装置１で電波強度が高い順であってもよい。
図１０（ｂ）の画面例５０７によれば、無線設定部２１０は、ＧＵＩにて、ユーザーが選択したアクセスポイント３の接続情報を入力させ、これを取得して設定情報３１０として設定し、記憶部２９に格納する。
以上により、本発明の実施の形態に係る無線設定処理を終了する。
【００７７】
以上のように構成することで、以下のような効果を得ることができる。
従来、特許文献１に記載されたものを含む従来の無線接続可能な画像形成装置では、操作パネル部の操作により無線接続の設定を行うことができたが、操作パネル部が小さい場合、操作性が良好でないため、設定が大変だった。
これに対して、本発明の実施の形態に係る画像形成システムＸは、無線接続が可能な画像形成装置１と、該画像形成装置１と接続される端末２とを含む。画像形成装置１は、無線のアクセスポイント３を検索するアクセスポイント検索部１００と、アクセスポイント検索部１００で検索されたアクセスポイント３のリスト３００を端末２へ送信するリスト送信部１１０と、リスト送信部１１０で送信されたリスト３００から、端末２にて選択されたアクセスポイント３の設定情報３１０を端末２から取得する設定取得部１２０と、設定取得部１２０で取得された無線のアクセスポイント３の設定情報３１０により、アクセスポイント３に無線接続する無線接続部１３０とを備える。端末２は、画像形成装置１からアクセスポイント３のリスト３００を取得するリスト取得部２００と、リスト取得部２００により取得されたリスト３００に含まれるアクセスポイント３を示して選択させ、設定情報３１０を設定する無線設定部２１０と、無線設定部２１０により設定されたアクセスポイント３の設定情報３１０を画像形成装置１へ送信する設定送信部２２０とを備えることを特徴とする。
このように構成することで、無線接続のアクセスポイントの検索と設定を端末２から遠隔操作して行える。これにより、操作性のよい端末２を用いて、容易に無線接続の設定を行うことができ、ユーザーの設定の利便性を向上させることができる。すなわち、ユーザーは、アクセスポイント３のリスト３００中から、任意のアクセスポイント３を一つ選択して、このアクセスポイント３に対する暗号キーを入力部２６から入力するだけで、画像形成装置１に対して無線接続を設定することが可能となる。
また、そもそも、単機能のプリンターは操作パネルがなかったり、表示文字数が限られていたりするため、無線接続の設定を自装置のみで行うことは困難であった。このような構成でも、端末２上から無線接続の設定をすることが可能となる。
また、複数の画像形成装置について、端末２のデバイスドライバーやユーティリティーソフトウェア等から一括で無線接続の設定を行うことも可能となり、ユーザーの利便性を向上させることができる。
【００７８】
また、本実施形態の画像形成システムＸにおいては、選択されたアクセスポイントの情報であるリスト３００と、設定情報３１０を、端末２と画像形成装置１との間で独自プロトコルで通信して設定することを特徴とする。
これにより、端末２と画像形成装置１との間が、有線ＬＡＮ、ダイレクト接続のいずれであっても、簡単にアクセスポイントの設定が可能になる。また、画像形成装置１の機種に対応したコマンドを送信可能なため、例えば、端末２から、操作パネル部１６でアクセスポイント３を検索するのと同様のコマンド等を送信させることができる。よって、複数の機種に対応して、無線接続を行うデバイスドライバーやユーティリティーソフトウェア等を開発するのが容易となる。
【００７９】
また、そもそも、ネットワークの知識が十分でない小規模なオフィスのユーザー等にとっては、Ｗｉ−Ｆｉ等の無線接続の初期設定を行うことは容易ではなかった。
これに対して、本発明の実施の形態に係る画像形成システムＸは、端末２の無線設定部２１０は、端末２からアクセスポイント３へ接続するための既存設定情報３２０と同一のアクセスポイント３がリスト３００に含まれる場合、及び／又は、端末２と画像形成装置１との間でダイレクト接続が可能である場合には、端末２と画像形成装置１とが同一のネットワーク内にあると判断し、既存設定情報３２０も取得し、端末２の設定送信部２２０は、既存設定情報３２０も画像形成装置１へ送信し、画像形成装置１の設定取得部１２０は、既存設定情報３２０も取得し、画像形成装置１の無線接続部１３０は、既存設定情報３２０によってもアクセスポイント３に無線接続することを特徴とする。
このように構成することで、端末２で既に無線ＬＡＮ等の無線接続を利用している場合、その端末２のアクセスポイント３の既存設定情報３２０を引き継ぎ、画像形成装置１に設定することが可能となる。つまり、端末２で無線接続が既に行われていれば、容易に画像形成装置１の無線接続の設定を行うことができる。これにより、元々、ネットワークの知識が十分でないユーザーや、アクセスポイント３への接続を設定していない又は知らないユーザー等であっても、無線接続の設定を行うことができる。
また、画像形成装置１と端末２とが有線ＬＡＮを介してネットワーク５に接続されていても、建物の配置の関係等で直接、同一のアクセスポイント３に接続できない場合や、ＶＰＮ接続等の場合に、端末２の既存設定情報３２０を画像形成装置１へ誤設定することがなくなる。これにより、ユーザーの利便性を高めることができる。
【００８０】
また、本発明の実施の形態に係る画像形成システムＸは、画像形成装置１のアクセスポイント検索部１００は、アクセスポイント３の電波強度も取得し、端末２の無線設定部２１０は、端末２と画像形成装置１とが同一のネットワーク内にあり、同一のアクセスポイント３に接続可能であった場合、アクセスポイント検索部１００で取得された電波強度が高いアクセスポイント３の方を優先して設定することを特徴とする。
このように構成することで、端末２と画像形成装置１とで同一のアクセスポイント３へ接続可能であっても、画像形成装置１で電波強度が高い方をリストの上位等で表示し、より画像形成装置１で接続するのに適切なアクセスポイント３をユーザーに選択させることが可能となる。
【００８１】
なお、上述の実施の形態では、自動接続を行わないようユーザーが指示した時点でアクセスポイントを検索するように記載した。
しかしながら、アクセスポイント検索部１００は、後述する端末２による無線設定処理等の際に、端末２の無線設定部２１０からの指示により、任意のタイミングでこのアクセスポイント検索処理を実行することも可能である。
【００８２】
また、本発明は、画像形成システム以外の情報処理装置を用いたシステムにも適用できる。
また、この画像形成システムとしては、ネットワークスキャナー、スキャナーをＵＳＢ等で別途接続したサーバー等を用いて、それらの無線接続の設定を行うような構成であってもよい。
【００８３】
また、上記実施の形態の構成及び動作は例であって、本発明の趣旨を逸脱しない範囲で適宜変更して実行することができることは言うまでもない。
【符号の説明】
【００８４】
１  画像形成装置
２  端末
３  アクセスポイント
５  ネットワーク
１０、２０  制御部
１１  画像処理部
１２  原稿読取部
１３  原稿給送部
１４  給紙部
１５、２５  有線ネットワーク接続部
１６  操作パネル部
１７  画像形成部
１８、２８  無線ネットワーク接続部
１９、２９  記憶部
２６  入力部
２７  表示部
１００  アクセスポイント検索部
１１０  リスト送信部
１２０  設定取得部
１３０  無線接続部
２００  リスト取得部
２１０  無線設定部
２２０  設定送信部
３００  リスト
３１０  設定情報
３２０  既存設定情報
５００、５０１、５０２、５０３、５０４、５０５、５０６、５０７  画面例
【図１】
2018174367.tif 000003
【図２】
2018174367.tif 000004
【図３】
2018174367.tif 000005
【図４】
2018174367.tif 000006
【図５】
2018174367.tif 000007
【図６】
2018174367.tif 000008
【図７】
2018174367.tif 000009
【図８】
2018174367.tif 000010
【図９】
2018174367.tif 000011
【図１０】
2018174367.tif 000012